(57)【要約】【課題】通信切り替え装置を提供する。【解決手段】主に積載台上に枢設ブロックを設置し、該枢設ブロックには枢設側面開槽を設置し、スライド棒を通して制御ブロックを該枢設側面開槽を内に挿入接続する。さらに下定位ブロックと上定位ブロックは順番に該積載台上に設置し、該上、下定位ブロックはそれぞれ上、下定位溝を形成し、それぞれ第一光ファイバー、第二光ファイバー、第三光ファイバーを設置する。該第一光ファイバーの一端は該制御ブロックの接続を受け、こうしてアクチュエータがスライド棒をはじき動かすことにより、該制御ブロックを該枢設側面開槽内において上下に移動させ、該第一光ファイバーは該第二光ファイバー或いは第三光ファイバーを選択し正対応する。これにより伝送信号損失を大幅に低下させ、精確な定位と迅速な切替えの目的を達成する。【選択図】図３
0003118776.tif 000002
【実用新案登録請求の範囲】
【請求項１】
通信切り替え装置であり、制御ブロック、積載台、下定位ブロック、上定位ブロック、アクチュエータを含み、
該制御ブロックは制御穿孔を設置し、且つその片側には上制御翼片と下制御翼片を設け、第一光ファイバーの一端に接続し、
該積載台は枢設ブロックを設置し、かつ該枢設ブロックには枢設側面開槽有し、該制御穿孔の対応位置にそれぞれ該枢設ブロック及び該積載台を貫通する貫通孔を設け、スライド棒を利用し、該貫通孔と該制御穿孔を穿設し、該制御ブロックを該枢設側面開槽内に挿入接続し、
該下定位ブロックは該積載台の上表面に設置し、該下制御翼片の位置に対応した下収納凹槽を設置し、別に該下収納凹槽と対角線を挟み相互に対応する下定位溝を設置し、それぞれ該第一光ファイバー、第二光ファイバーを相互に正対応させ、該下定位溝上において設置し、
該上定位ブロックは該下定位ブロックの上方に重ね設置し、該上制御翼片の位置に対応し上収納凹槽を設置し、かつ該下定位溝の対応位置に上定位溝を設置し、該第二光ファイバーの同一側において、第三光ファイバーを該上定位溝上に設置し、
該アクチュエータは該積載台の下部に設置し、アームを含み、該アームは該スライド棒をはじき動かすことにより該制御ブロックを連動し、これにより該第一光ファイバーは切り替えを行い、該第二光ファイバー或いは該第三光ファイバーに照準を合わせることを特徴とする通信切り替え装置。
【請求項２】
前記弾性部品の一端は該積載台、該下定位ブロック、該上定位ブロック、或いは該枢設ブロックの内のどれか上に固定し、反対端を利用し該スライド棒を圧迫固定し、これによりアクチュエータは不作動の状態で、該第一光ファイバーは該第二光ファイバーに直接正対応することを特徴とする請求項１記載の通信切り替え装置。
【請求項３】
前記アクチュエータは制御信号を受信後、該アームを作動し該スライド棒をはじき動かすことができ、この時、該制御ブロックを該第一光ファイバーを連動し該第三光ファイバーに正対応させ、かつ該アクチュエータはリレー及び電磁バルブの内の一つとすることを特徴とする請求項２記載の通信切り替え装置。
【請求項４】
前記上定位溝及び前記下定位溝の水平断面はそれぞれ徐々に深くなる形態を呈することを特徴とする請求項１記載の通信切り替え装置。
【請求項５】
前記上制御翼片及び前記下制御翼片の位置は対角線を挟み相互に対応することを特徴とする請求項１記載の通信切り替え装置。
【請求項６】
前記制御ブロックは抗反射処理加工を施すことができることを特徴とする請求項１記載の通信切り替え装置。
【請求項７】
前記通信切り替え装置は該上制御翼片、該下制御翼片、及びその組合せ式のうちのどれかを選択し、少なくとも１枚の分散反射面を設置し、しかも該各分散反射面は斜平面、弧状平面、或いは発散反射面の内のどれかを選択することができることを特徴とする請求項１記載の通信切り替え装置。
【請求項８】
前記上制御翼片と該下制御翼片はさらに嵌合孔及び該嵌合孔と相互に通じる通気孔をそれぞれ設置し、それぞれ該各嵌合孔において該第一光ファイバーと接続する弾性体を設置することを特徴とする請求項１記載の通信切り替え装置。
【請求項９】
前記制御ブロックは少なくとも１個の該制御穿孔と相互に通じる制御接合孔を設置し、かつ該スライド棒は該制御接合孔の位置に対応し、粘着凹槽を設置することを特徴とする請求項１記載の通信切り替え装置。
【請求項１０】
前記下定位ブロックと該上定位ブロックは該光ファイバーが正対応する位置においてそれぞれ下監視孔と上監視孔を設置し、それぞれ該下監視孔を通過する下排液溝及び該上監視孔を通過する上排液溝を設置することを特徴とする請求項１記載の通信切り替え装置。
【請求項１１】
前記上定位ブロック及び該下定位ブロックは該枢設ブロックの位置に対応しそれぞれ上定位側面開槽と下定位側面開槽を設置することを特徴とする請求項１記載の通信切り替え装置。
【請求項１２】
前記下定位ブロック及び該上定位ブロックはそれぞれ複数の下接合槽と少なくとも１個の上接合槽を設置し、該第二光ファイバー、該第一光ファイバー、該第三光ファイバーを粘着する粘着液を充填することを特徴とする請求項１記載の通信切り替え装置。
【請求項１３】
前記下定位ブロックと該枢設ブロックはそれぞれハンダ溶接、スポットハンダ溶接、接着、螺合及びその組合せ式の内のいずれかの方式により、該積載台と相互に結合することを特徴とする請求項１記載の通信切り替え装置。
【請求項１４】
前記積載台は該下定位ブロック、該枢設ブロック、及びその組合せ式のどれかと一体に成型することができることを特徴とする請求項１記載の通信切り替え装置。
【請求項１５】
前記積載台はさらに少なくとも１個の接合ブロックを設置し、ハンダ溶接、スポットハンダ溶接、接着、螺合及びその組合せ式の内のいずれかの方式により、該上定位ブロックと相互に接合することができることを特徴とする請求項１記載の通信切り替え装置。
【考案の詳細な説明】
【技術分野】
【０００１】
本考案は一種の通信切り替え装置に関する。特に一種の光ファイバー通信に用いる通信切り替え装置で、伝送信号損失を大幅に低下させることができ、精確な定位と迅速な切替えの目的を達成可能な通信切り替え装置に係る。
【背景技術】
【０００２】
通信速度と帯域幅へのニーズが高まるに連れて、帯域幅が広い光ファイバーは注目を集めており、光ファイバー通信技術の急速な発展と変化を後押ししている。これに加え、光ファイバーは低減衰率、高伝送速度、高信号伝送品質、高気密性などの長所を具えるため、光ファイバー通信の使用範囲はますます拡大している。
一方、光学スイッチ(Optical Switch)の主な機能は、光信号の伝送ルートの切り替えにおいて、しばしば光ファイバーネットワークのバックアップとリカバリーに運用される。このように、光学スイッチは光ファイバー通信領域において重要な役割を演じているなくてはならない通信パーツである。
【０００３】
公知の光学スイッチ１０は図１に示すように、屈折レンズ１１を上下移動が可能なベース１３上に固設する。該ベース１３が上予定位置へと移動すると、第一光ファイバー１５１が伝送する光信号は該屈折レンズ１１の屈折作用を通して、第三光ファイバー１５３に伝送される。一方、該ベース１３が下予定位置まで移動すると、該第一光ファイバー１５１が伝送する光信号は該屈折レンズ１１を経由せず、直接第二光ファイバー１５２に伝送される。
【０００４】
すなわち、該光学スイッチ１０は該ベース１３により該屈折レンズ１１の上下移動を連動され、切り替えの目的を達成する。その構造設計は簡単だが、伝送される光信号は該屈折レンズ１１の影響を受け、信号強度の減衰を招き、しかも該屈折レンズ１１そのものの加工品質とその老化作用も該第一光ファイバー１５１と該第三光ファイバー１５３間のピントに重大な影響を及ぼす。
【０００５】
さらに、必ず一定の厚みを具えた屈折レンズ１１を光ファイバー間に設置しなければ切替えの目的を達成することはできないため、該第一光ファイバー１５１と該第二光ファイバー１５２、或いは第三光ファイバー１５３間の距離を拡大しなければならない。これでは光ファイバーのピント設定の難易度を高めるばかりでなく、間隔距離が広過ぎると光信号強度とその品質に影響を及ぼす。当然、該各光ファイバーの一端においてそれぞれ勾配屈折率レンズ(Grin Lens)１７を設置しその照準の問題を補強しなければならないが、これもその生産コストを拡大させてしまい、市場競争力を低下させる結果となっている。
【考案の開示】
【考案が解決しようとする課題】
【０００６】
上記課題を解決するため、本考案は下記の通信切り替え装置を提供する。
それは主に通信切り替え装置を提供し、スライド棒を利用し制御ブロックを枢設ブロックに設置する枢設側面開槽内に挿入接続し、かつ該制御ブロックにより第一光ファイバーに接続し、アクチュエータを利用し該スライド棒をはじき動かし、該第一光ファイバーは該第二光ファイバー或いは第三光ファイバーを選択し正対応し、こうして組立て時の工程時間を短縮可能であるばかりでなく、迅速な切替えの目的を達成する。
【０００７】
さらにそれは、通信切り替え装置を提供し、それぞれ上定位ブロックと下定位ブロック上に水平断面が徐々に深くなる形態を呈する上定位溝とした定位溝を形成し光ファイバーを設置し、切替え時に必要となる定位基準とし、切替え時には光ファイバーの正対応を容易にし、重複切替えの安定性を増強する。
【０００８】
またそれは、通信切り替え装置を提供し、上制御翼片と下制御翼片においてそれぞれ嵌合孔を設置し、それぞれ弾性体を設置し、それが接続する第一光ファイバーを保護し、該第一光ファイバーの使用寿命を効果的に延長し、コスト節減の目的を達成し、該第一光ファイバーは定位溝において確実に定位される。
【０００９】
さらにそれは、通信切り替え装置を提供し、上定位ブロックとした定位ブロックはそれぞれ上定位側面開槽と下定位側面開槽を設置し、該積載台上の枢設ブロックに対応し、その相互対応により、組立て時の相互定位に有利であるだけでなく、組立ての作業時間を効果的に節減可能で、組立て後のサイズを縮減し、材料コストを低下させることができる。
【００１０】
すなわちそれは、主に制御ブロック、積載台、下定位ブロック、上定位ブロック、アクチュエータを含み、
該制御ブロックは制御穿孔を設置し、しかもその片側には上制御翼片と下制御翼片を接続し、第一光ファイバーの一端に接続し、
該積載台は枢設ブロックを設置し、かつ該枢設ブロックには枢設側面開槽を設置し、該制御穿孔の位置に相対しそれぞれ該枢設ブロック及び該積載台の貫通孔を貫通し、スライド棒を利用し、該貫通孔と該制御穿孔を穿設し、該制御ブロックを該枢設側面開槽内に挿入接続し、
該下定位ブロックは該積載台の上表面に設置し、該下制御翼片の位置に対応し下収納凹槽を設置し、別に該下収納凹槽と対角線を挟み相互に対応する下定位溝を設置し、それぞれ該第一光ファイバー、第二光ファイバーを相互に正対応させ、該下定位溝上において設置し、
該上定位ブロックは該下定位ブロックの上方に重ね設置し、該上制御翼片の位置に対応し上収納凹槽を設置し、かつ該下定位溝の位置に対応し上定位溝を設置し、該第二光ファイバーの同一側において、第三光ファイバーを該上定位溝上に設置し、
該アクチュエータは該積載台の下部に設置し、アームを含み、該アームは該スライド棒をはじき動かすことにより該制御ブロックを連動し、これにより該第一光ファイバーは切り替えを行い、該第二光ファイバー或いは該第三光ファイバーに照準を合わせることを特徴とする通信切り替え装置である。  
【課題を解決するための手段】
【００１１】
請求項１の考案は、通信切り替え装置であり、制御ブロック、積載台、下定位ブロック、上定位ブロック、アクチュエータを含み、
該制御ブロックは制御穿孔を設置し、且つその片側には上制御翼片と下制御翼片を設け、第一光ファイバーの一端に接続し、
該積載台は枢設ブロックを設置し、かつ該枢設ブロックには枢設側面開槽有し、該制御穿孔の対応位置にそれぞれ該枢設ブロック及び該積載台を貫通する貫通孔を設け、スライド棒を利用し、該貫通孔と該制御穿孔を穿設し、該制御ブロックを該枢設側面開槽内に挿入接続し、
該下定位ブロックは該積載台の上表面に設置し、該下制御翼片の位置に対応した下収納凹槽を設置し、別に該下収納凹槽と対角線を挟み相互に対応する下定位溝を設置し、それぞれ該第一光ファイバー、第二光ファイバーを相互に正対応させ、該下定位溝上において設置し、
該上定位ブロックは該下定位ブロックの上方に重ね設置し、該上制御翼片の位置に対応し上収納凹槽を設置し、かつ該下定位溝の対応位置に上定位溝を設置し、該第二光ファイバーの同一側において、第三光ファイバーを該上定位溝上に設置し、
該アクチュエータは該積載台の下部に設置し、アームを含み、該アームは該スライド棒をはじき動かすことにより該制御ブロックを連動し、これにより該第一光ファイバーは切り替えを行い、該第二光ファイバー或いは該第三光ファイバーに照準を合わせることを特徴とする通信切り替え装置としている。
請求項２の考案は、前記弾性部品の一端は該積載台、該下定位ブロック、該上定位ブロック、或いは該枢設ブロックの内のどれか上に固定し、反対端を利用し該スライド棒を圧迫固定し、これによりアクチュエータは不作動の状態で、該第一光ファイバーは該第二光ファイバーに直接正対応することを特徴とする請求項１記載の通信切り替え装置としている。
請求項３の考案は、前記アクチュエータは制御信号を受信後、該アームを作動し該スライド棒をはじき動かすことができ、この時、該制御ブロックを該第一光ファイバーを連動し該第三光ファイバーに正対応させ、かつ該アクチュエータはリレー及び電磁バルブの内の一つとすることを特徴とする請求項２記載の通信切り替え装置としている。
請求項４の考案は、前記上定位溝及び前記下定位溝の水平断面はそれぞれ徐々に深くなる形態を呈することを特徴とする請求項１記載の通信切り替え装置としている。
請求項５の考案は、前記上制御翼片及び前記下制御翼片の位置は対角線を挟み相互に対応することを特徴とする請求項１記載の通信切り替え装置としている。
請求項６の考案は、前記制御ブロックは抗反射処理加工を施すことができることを特徴とする請求項１記載の通信切り替え装置としている。
請求項７の考案は、前記通信切り替え装置は該上制御翼片、該下制御翼片、及びその組合せ式のうちのどれかを選択し、少なくとも１枚の分散反射面を設置し、しかも該各分散反射面は斜平面、弧状平面、或いは発散反射面の内のどれかを選択することができることを特徴とする請求項１記載の通信切り替え装置としている。
請求項８の考案は、前記上制御翼片と該下制御翼片はさらに嵌合孔及び該嵌合孔と相互に通じる通気孔をそれぞれ設置し、それぞれ該各嵌合孔において該第一光ファイバーと接続する弾性体を設置することを特徴とする請求項１記載の通信切り替え装置としている。
請求項９の考案は、前記制御ブロックは少なくとも１個の該制御穿孔と相互に通じる制御接合孔を設置し、かつ該スライド棒は該制御接合孔の位置に対応し、粘着凹槽を設置することを特徴とする請求項１記載の通信切り替え装置としている。
請求項１０の考案は、前記下定位ブロックと該上定位ブロックは該光ファイバーが正対応する位置においてそれぞれ下監視孔と上監視孔を設置し、それぞれ該下監視孔を通過する下排液溝及び該上監視孔を通過する上排液溝を設置することを特徴とする請求項１記載の通信切り替え装置としている。
請求項１１の考案は、前記上定位ブロック及び該下定位ブロックは該枢設ブロックの位置に対応しそれぞれ上定位側面開槽と下定位側面開槽を設置することを特徴とする請求項１記載の通信切り替え装置としている。
請求項１２の考案は、前記下定位ブロック及び該上定位ブロックはそれぞれ複数の下接合槽と少なくとも１個の上接合槽を設置し、該第二光ファイバー、該第一光ファイバー、該第三光ファイバーを粘着する粘着液を充填することを特徴とする請求項１記載の通信切り替え装置としている。
請求項１３の考案は、前記下定位ブロックと該枢設ブロックはそれぞれハンダ溶接、スポットハンダ溶接、接着、螺合及びその組合せ式の内のいずれかの方式により、該積載台と相互に結合することを特徴とする請求項１記載の通信切り替え装置としている。
請求項１４の考案は、前記積載台は該下定位ブロック、該枢設ブロック、及びその組合せ式のどれかと一体に成型することができることを特徴とする請求項１記載の通信切り替え装置としている。
請求項１５の考案は、前記積載台はさらに少なくとも１個の接合ブロックを設置し、ハンダ溶接、スポットハンダ溶接、接着、螺合及びその組合せ式の内のいずれかの方式により、該上定位ブロックと相互に接合することができることを特徴とする請求項１記載の通信切り替え装置としている。
【考案の効果】
【００１２】
本考案により伝送信号損失を大幅に低下させることができ、精確な定位と迅速な切替えの目的を達成することができる。
【考案を実施するための最良の形態】
【００１３】
図２、３、４、５に示すように、本考案の通信切り替え装置２０は主に制御ブロック２１、積載台２３、下定位ブロック２５、上定位ブロック２７、アクチュエータ２８を含み、第一光ファイバー２９１、第二光ファイバー２９２、第三光ファイバー２９３を用い切替を行うことができる。
該制御ブロック２１は制御穿孔２１１を設置し、しかもその片側には対角線を挟み相互に対応する上制御翼片２１３と下制御翼片２１５を接続し、該第一光ファイバー２９１の一端に接続する。
該積載台２３は枢設ブロック２３１を設置し、かつ該枢設ブロック２３１には枢設側面開槽２３２を設置し、該制御穿孔２１１の位置に相対しそれぞれ該枢設ブロック２３１及び該積載台２３の貫通孔２３３を貫通する。スライド棒２３４を利用し、該貫通孔２３３と該制御穿孔２１１を穿設し、該制御ブロック２１を該枢設側面開槽２３２内に挿入接続する。
【００１４】
該下定位ブロック２５は該積載台２３の上表面に設置し、該下制御翼片２１５の位置に対応し下収納凹槽２５１を設置する。別に該下収納凹槽２５１と対角線を挟み相互に対応する下定位溝２５１を設置し、それぞれ該第一光ファイバー２９１、第二光ファイバー２９１を相互に正対応させ、該下定位溝２５２上において設置する。
該上定位ブロック２７は該下定位ブロック２５の上方に設置する。その構造は図８に示すように、該上制御翼片２１３の位置に対応し、上収納凹槽２７１を設置し、かつ該下定位溝２５２の位置に対応し上定位溝２７２を設置し、該第二光ファイバー２９２の同一側において、第三光ファイバー２９３を該上定位溝２７２上に設置する。
該アクチュエータ２８は該積載台２３の下部に設置し、アーム２８１を含む。該アームは該スライド棒２３４をはじき動かすことにより該制御ブロック２１を連動し、これにより該第一光ファイバー２９１は切り替えを行い、該第二光ファイバー２９２或いは該第三光ファイバー２９３に照準を合わせることができる。
【００１５】
本考案構造は別に弾性部品２６１を設置可能で、その一端は該積載台２３、該下定位ブロック２５、該上定位ブロック２７、或いは該枢設ブロック２３１上に固定する。反対端を利用し該スライド棒２３４を圧迫固定し、これによりアクチュエータ２８は不作動の状態で、図４が指示する第一位置において、該第一光ファイバー２９１は該第二光ファイバー２９２に直接正対応する。
該積載台２３の側辺にはさらに少なくとも１個の接合ブロック２３５を設置し、ハンダ溶接、スポットハンダ溶接、接着、或いは螺合の方式により、該上定位ブロック２７と相互に接合することができる。
該制御ブロック２１は少なくとも１個の該制御穿孔２１１と相互に通じる制御接合孔２１７を設置する。該スライド棒２３４は該制御接合孔２１７に相対する位置において接合凹槽２３６を設置し、接着剤を利用し接合する。こうして該制御ブロック２１と該スライド動合２３４の結合を強化し、定位の精確性に影響が及ばないよう両者の相対位置の移動を防止する。またハンダ溶接、螺合、或いはレーザースポット溶接の方式により接着しても同様の効果を得ることができる。
【００１６】
該上制御翼片２１３と該下制御翼片２１５にはそれぞれ嵌合孔２１２を設置可能で、それぞれ弾性体２６２を設置する。こうして、該制御翼片２１３と該下制御翼片２１５は該弾性体２６２を通して該第一光ファイバー２９１を接続し、該制御ブロック２１移動時の該第一光ファイバー２９１の摩擦損耗を効果的に防止することができる。これにより該第一光ファイバー２９１の使用寿命を確保可能となる。
また該弾性体２６２の弾性を利用することにより、該第一光ファイバー２９１は該上定位溝２７２或いは該下定位溝２５２内において確実に定位される。
【００１７】
本考案において該上定位溝２７２と該下定位溝２５２の水平断面は徐々に深くなる形態が望ましい。また該各定位溝をV字型に加工することもでき、この設計により、該第一光ファイバー２９１の位置を切替える時に必要となる精確な定位基準を提供可能で、該各光ファイバー設置時の定位基準とすることもできる。こうしてその対応の安定性を向上させ、かつ大幅に伝送信号の損失を低減することができるようになる。
【００１８】
該上定位ブロック２７と該下定位ブロック２５は該枢設ブロック２３１の位置に対応し、それぞれ上定位側面開槽２７４と下定位側面開槽２５４を設置する。組合せ時には、該枢設ブロック２３１と直接相互に組合せ、該積載台２３、該上定位ブロック２７、或いは該下定位ブロック２５相互間の定位を助け、その組合せ後のサイズ、材料コスト、組合せにかかる時間を効果的に縮減することができる。
【００１９】
また該下定位ブロック２５上には複数の下接合槽２５５を設置することができ、それぞれ接合液の充填に用い、該第一光ファイバー９１及び該第二光ファイバー２９２の局部を該下定位ブロック２５において粘着固定する。
該上定位ブロック２７はまた少なくとも１個の上接合槽２７５を設置可能で、該第三光ファイバー２９３の局部の該上定位ブロック２７における粘着固定に用いる。
【００２０】
粘着液は該上定位溝２７２或いは該下定位溝２５２上においても同時に塗布され、光ファイバーを粘着固定する効果を強化することができる。粘着液の過多が該通信切り替え装置２０の作動に影響を及ぼすことのないよう、該上定位ブロック２７と該下定位ブロック２５にはそれぞれ上排液溝２７６と下排液溝２５６を形成し、過剰な粘着液を排出する。
【００２１】
該アクチュエータ２８は制御信号を受信後、該アーム２８１を作動し該スライド棒２３４をはじき動かすことができる。この時、該制御ブロック２１を図５が示す第二位置へと上方に移動させ、該第一光ファイバー２９１は該第三光ファイバー２９３に正対応する。
【００２２】
組合せにおいては、加工者が該各光ファイバーの対応状況を容易に監視することができるよう、該上定位ブロック２７には上監視孔２７３を設置し、該第一光ファイバー２９１と該第三光ファイバー２９３の正対応状況を観察することができる。同様に、該下定位ブロック２５には下監視孔２５３を設置し、該第一光ファイバー２９１と該第二光ファイバー２９２の正対応状況を観察することができる。
また該上排液溝２７６と該下排液溝２５６はそれぞれ該上監視孔２７３と該下監視孔２５３を通過し設置される。こうして接合液が溢れ該第一光ファイバー２９１、該第二光ファイバー２９２、或いは該第三光ファイバー２９３の光ファイバー端面に至り、その正対応効果、或いは該第一光ファイバー２９１の可動性に影響を及ぼすことを防止することができる。
【００２３】
次に図６、７に示すように、本考案は該第一光ファイバー２９１と該第二光ファイバー２９２、或いは該第三光ファイバー２９３の相互正対応を切替える便のため、該該第一光ファイバー２９１と該第二光ファイバー２９２、或いは該第三光ファイバー２９３間は一切接触しない。過剰に高い屈折率が光ファイバーネットワークシステム設備に対して損害を与えることを防止するために、該上制御翼片２１３と該下制御翼片２１５上にはそれぞれ少なくとも１個の分散反射面２１６を設置する。該各分散反射面２１６の作用により、光は反射或いは別の方向に発散し、光ファイバーに反射し入って来る光の量を大幅に低下させることができ、反射率低下の目的を達成する。該各分散反射面２１６は斜平面、弧状平面、或いは発散反射面の形態に加工することができる。
【００２４】
さらに、該制御ブロック２１全体、或いは該上制御翼片２１３と該下制御翼片２１５に対して抗反射処理加工を施すこともできる。例えば、サンドブラスト処理、霧面処理、染色処理、或いはメッキ処理などを施すことにより、光ファイバーに反射し入って来る光の量を大幅に低下させることができ、反射率低下の目的を達成する。
【００２５】
該下定位ブロック２５はハンダスポット溶接、粘着、ハンダ溶接、或いは螺合の方式により該積載台２３と結合することができ、該下定位ブロック２５と該積載台２３は直接一体成型の方式により加工することもできる。該枢設ブロック２３１もまたハンダスポット溶接、粘着、ハンダ溶接、或いは螺合の方式により該積載台２３と結合することができ、該枢設ブロック２３１も該積載台２３と直接一体成型の方式により加工することもできる。
【００２６】
さらに該上制御翼片２１３と該下制御翼片２１５もまたそれぞれ該嵌合孔２１２と相互に通じる通気孔を設置し、該嵌合孔２１２の該弾性体２６１における設置の便を図る。該弾性体２６２はゴム、シリコン、ポリウレタン、プラスチック、或いは海面体である。
該アクチュエータ２８は一般に市販されているリレー或いは電磁バルブを採用することもでき、開発コストを抑えることができ、或いは、適したアクチュエータを自身で開発することができる。
該弾性部品２６１は弾性片、弾性鋼片、或いはバネで、何れもがスライド棒２３４を元の位置に戻す目的を達成可能である。
【図面の簡単な説明】
【００２７】
【図１】公知の光学スイッチの立体指示図である。
【図２】本考案の最適実施例の立体分解指示図である。
【図３】本考案の最適実施例の立体組合せ指示図である。
【図４】本考案の制御ブロックの第一位置における断面指示図である。
【図５】本考案の制御ブロックの第二位置における断面指示図である。
【図６】図４の局部断面拡大指示図である。
【図７】図５の局部断面拡大指示図である。
【図８】図２が示す上定位ブロックの別の視角からの立体指示図である。
【符号の説明】
【００２８】
１０  光学スイッチ          １１  屈折レンズ
１３  ベース                １５１  第一光ファイバー
１５２  第二光ファイバー    １５３  第三光ファイバー
１７  勾配屈折率レンズ      ２０  通信切り替え装置
２１  制御ブロック          ２１１  制御穿孔
２１２  嵌合孔              ２１３  上制御翼片
２１４  通気孔              ２１５  下制御翼片
２１６  分散反射面          ２１７  制御接合孔
２３  積載台                ２３１  枢設ブロック
２３２  枢設側面開槽        ２３３  貫通孔
２３４  スライド棒          ２３５  接合ブロック
２３６  接合凹リング        ２５  下定位ブロック
２５１  下収納凹槽          ２５２  下定位溝
２５３  下監視孔            ２５４  下定位側面開槽
２５５  下接合槽            ２５６  下排液溝
２６１  弾性部品            ２６２  弾性体
２７  上定位ブロック        ２７１  上収納凹槽
２７２  上定位溝            ２７３  上監視孔
２７４  上定位側面開槽      ２７５  上接合槽
２７６  上排液溝            ２８  アクチュエータ
２８１  アーム              ２９１  第一光ファイバー
２９２  第二光ファイバー    ２９３  第三光ファイバー
【図１】
0003118776.tif 000003
【図２】
0003118776.tif 000004
【図３】
0003118776.tif 000005
【図４】
0003118776.tif 000006
【図５】
0003118776.tif 000007
【図６】
0003118776.tif 000008
【図７】
0003118776.tif 000009
【図８】
0003118776.tif 000010